(57)【要約】【課題】含浸棒の上側に配置した羽根部材の動きにより揮発剤の揮発を促進することができる揮発剤容器を提案する。【解決手段】口頸部６を起立する揮発剤用の容器体２と、口頸部６内に開口する挿入口３８を有し、かつ口頸部６の上面を蓋板部１４で閉塞する蓋部材１０と、上記蓋板部１４の上面側に設置された支持脚５６から起立する支持柱６０を有する支持部材４０と、上記支持柱６０の上部に周囲の空気を撹拌する動きができるように支持された羽根部材６６と、上記蓋板部１４の上に設置されたエネルギー供給部７０と、を具備し、このエネルギー供給部７０で供給されたエネルギーにより上記羽根部材６６を駆動させる駆動手段Ｄ、及び、容器体２内の揮発剤を挿入口３８を経由して羽根部材６６側へ導く揮発剤導出手段Ｉを設けた。【選択図】図１
2015164856.tif 000002
【特許請求の範囲】
【請求項１】
口頸部(６)を起立する揮発剤用の容器体(２)と、
口頸部(６)内に開口する挿入口(３８)を有し、かつ口頸部(６)の上面を蓋板部(１４)で閉塞する蓋部材(１０)と、
上記蓋板部(１４)の上面側に設置された支持脚(５６)から起立する支持柱(６０)を有する支持部材(４０)と、
上記支持柱(６０)の上部に周囲の空気を撹拌する動きができるように支持された羽根部材(６６)と、
上記蓋板部(１４)の上に設置されたエネルギー供給部(７０)と、
を具備し、
このエネルギー供給部(７０)で供給されたエネルギーにより上記羽根部材(６６)を駆動させる駆動手段(Ｄ)、及び、容器体(２)内の揮発剤を挿入口(３８)を経由して羽根部材(６６)側へ導く揮発剤導出手段(Ｉ)を設けたことを特徴とする、揮発剤容器。
【請求項２】
上記揮発剤導出手段(Ｉ)は、少なくとも上記挿入口(３８)に支承された含浸棒(Ｉ１)を含み、羽根部材(６６)の動きにより含浸棒(Ｉ１)の上側の空気を撹拌するようにしたことを特徴とする、請求項１記載の揮発剤容器。
【請求項３】
上記支持部材(４０)は、支持柱(６０)の上部に水平な回転軸(６２)を付設するとともに、この回転軸(６２)の左右側方へ回転軸を中心とする揺動可能に支持腕(６４)を突出しており、
上記羽根部材(６６)は、上記支持腕(６４)を介して支持されており、
上記駆動手段(Ｄ)により、上記羽根部材(６６)を、支持腕(６４)とともに回転軸(６２)を中心として揺動させ、羽根部材(６６)の揺動により含浸棒(８４)の上側の空気を撹拌するように構成したことを特徴とする、請求項２記載の揮発剤容器。
【請求項４】
上記支持脚(５６)は、蓋板部(１４)の一部を覆う有頂のボックス状に形成されており、上記駆動手段(Ｄ)を支持脚(５６)の内部に配置し、かつ上記エネルギー供給部(７０)を光電池として、羽根部材(６６)の下方に位置しない蓋板部分に設置したことを特徴とする、請求項２又は請求項３に記載の揮発剤容器。
【請求項５】
上記支持脚(５６)は、挿入口(３８)の回りの蓋板部分を覆うように形成されており、この支持脚(５６)の頂壁部(５６ｂ)を貫通して上記含浸棒(８４)を上方突出させていることを特徴とする、請求項４記載の揮発剤容器。
【請求項６】
上記揮発剤導出手段(Ｉ)は含浸可動体(Ｉ３)を含み、この含浸可動体は上記羽根部材(６６)を揮発剤の含浸が可能な材料で形成してなることを特徴とする、請求項１から請求項５の何れかに記載の揮発剤容器。
【発明の詳細な説明】
【技術分野】
【０００１】
本発明は、揮発剤容器に関する。
【背景技術】
【０００２】
揮発剤容器としては、容器体の口頸部内に、含浸棒のうち上端部を除く部分を嵌挿させるとともに、容器体の胴部の上端部に揮発孔付きのオーバーキャップの下端部を嵌着させ、このオーバーキャップの裏面に板状の含浸体を取り付け、使用時に上記含浸棒の上端を含浸体の裏面に当接可能に設け、容器体内の揮発剤が含浸棒を経由して含浸体に浸入して、揮発孔を経由して外部へ揮発するように構成している（特許文献１）。含浸体は含浸棒より大径であり、揮発剤が揮発する面積が広くなるから、揮発剤が揮発し易い。
【先行技術文献】
【特許文献】
【０００３】
【特許文献１】特開２０１２−７１８８４
【発明の概要】
【発明が解決しようとする課題】
【０００４】
特許文献１のものでは、含浸体の一定面積当たりから揮発剤が揮発する速度を室温や湿度などの自然条件に委ねており、その条件次第では十分に揮発が進まないおそれがある。
【０００５】
本発明の目的は、羽根部材の動きにより揮発剤の揮発を促進することができる揮発剤容器を提案することである。
【課題を解決するための手段】
【０００６】
第１の手段は、
口頸部６を起立する揮発剤用の容器体２と、
口頸部６内に開口する挿入口３８を有し、かつ口頸部６の上面を蓋板部１４で閉塞する蓋部材１０と、
上記蓋板部１４の上面側に設置された支持脚５６から起立する支持柱６０を有する支持部材４０と、
上記支持柱６０の上部に周囲の空気を撹拌する動きができるように支持された羽根部材６６と、
上記蓋板部１４の上に設置されたエネルギー供給部７０と、
を具備し、
このエネルギー供給部７０で供給されたエネルギーにより上記羽根部材６６を駆動させる駆動手段Ｄ、及び、容器体２内の揮発剤を挿入口３８を経由して羽根部材６６側へ導く揮発剤導出手段Ｉを設けた。
【０００７】
本手段は、空気を撹拌するように動く羽根部材６６を設けることを提案している。そして容器体２内の含浸剤を挿入口３８を経由して羽根部材側へ導く含浸式揮発剤導出手段６６を設けている。
【０００８】
「羽根部材」は、図示例では回転軸を中心として揺動する態様を説明しているが、例えば部材の一端を中心として揺動するタイプや、羽根部材全体が上下動するタイプも考えられる。
「駆動部材」は、図示例では磁力を用いる構成を説明しているが、例えばモーターとギアや伝動ベルト及び滑車などの公知の力伝達手段を用いても構わない。
「揮発剤を羽根部材側へ導く」とは、揮発剤導出手段とは別のものである羽根部材の近傍まで導くことでもよく（図１参照）、また羽根部材自体を揮発剤導出手段として、羽根部材の羽根部まで揮発剤を導くことでもよい（図６〜図９参考例）。なお、図示していないが、羽根部材の一部を容器体内へ延長してもよい。
【０００９】
第２の手段は、第１の手段を有し、かつ、上記揮発剤導出手段Ｉは、少なくとも上記挿入口３８に支承された含浸棒Ｉ１を含み、羽根部材６６の動きにより含浸棒Ｉ１の上側の空気を撹拌するようにした。  
【００１０】
本手段では、羽根部材６６と含浸棒Ｉ１とをそれぞれ別個に設けている。羽根部材６６と含浸棒Ｉ１との関係は、図１の如く両者が離れている場合と、図４・図６の如く両者が接している場合とを含む。前者の場合には、羽根部材による空気の撹拌により含浸棒Ｉ１からの揮散剤の揮発が促進される。後者の場合には、含浸棒から羽根部材へ浸入した揮散剤の揮発も期待できる。
【００１１】
第３の手段は、第２の手段を有し、かつ
上記支持部材４０は、支持柱６０の上部に水平な回転軸６２を付設するとともに、この回転軸６２の左右側方へ回転軸を中心とする揺動可能に支持腕６４を突出しており、
上記羽根部材６６は、上記支持腕６４を介して支持されており、
上記駆動手段Ｄにより、上記羽根部材６６を、支持腕６４とともに回転軸６２を中心として揺動させ、羽根部材６６の揺動により含浸棒Ｉ１の上側の空気を撹拌するように構成した。  
【００１２】
本手段では、図３に示す如く、羽根部材６６が揺動可能な構造を提案している。この動作は比較的簡易な駆動手段で実現可能である。
【００１３】
第４の手段は、第２の手段又は第３の手段を有し、かつ
上記支持脚５６は、蓋板部１４の一部を覆う有頂のボックス状に形成されており、上記駆動手段Ｄを支持脚５６の内部に配置し、かつ上記エネルギー供給部７０を光電池として、羽根部材６６の下方に位置しない蓋板部分に設置した。
【００１４】
本手段では、エネルギー供給部に光電池（太陽電池）を用いることを提案している。光電池程度の発電力でも、例えば羽根部材の揺動程度の簡単な動きであれば十分に実現することができる。駆動手段は、ボックス状の支持脚内に配置されており、他物との接触などから保護されている。
【００１５】
第５の手段は、第４の手段を有し、かつ
上記支持脚５６は、挿入口３８の回りの蓋板部分を覆うように形成されており、この支持脚５６の頂壁部５６ｂを貫通して上記含浸棒Ｉ１を上方突出させている。
【００１６】
本手段では、図１に示すように含浸棒Ｉ１が支持部材４０の支持脚５６を貫通して羽根部材６６の側へ突出している。故に羽根部材６６の動きによる空気の流れにより影響を受け易く、揮発性が向上する。
【００１７】
第６の手段は、第１の手段から第５の手段のいずれかを有し、かつ
上記揮発剤導出手段Ｉは含浸可動体Ｉ３を含み、この含浸可動体は上記羽根部材６６を揮発剤の含浸が可能な材料で形成してなる。  
【００１８】
本手段では、羽根部材６６を揮発剤の含浸可能な材料で形成して含浸可動体Ｉ３とし、揮散剤を含んだ羽根部材が空気を撹拌することでより効率的に揮発剤の揮発を促進するようにしている。具体的には、含浸可動体が常に（図８〜９参照）或いは動きの途中で一時的かつ断続的に（図６〜７参照）含浸棒に接するようにしてもよく、或いは含浸棒を省略して含浸可動体の一部を容器体内へ延長してもよい（図示せず）。
【発明の効果】
【００１９】
第１の手段に係る発明によれば、空気を撹拌する羽根部材の側へ揮発剤導出手段Ｉを介して容器体２内の揮発剤を導くから、揮発剤の広がりを促進できる。
第２の手段に係る発明によれば、空気を撹拌する羽根部材６６と、容器体から羽根部材側へ揮発剤を導く含浸棒Ｉ１とをそれぞれ設けたから、各々の機能に対応した構造を設計し易い。
第３の手段に係る発明によれば、羽根部材６６の揺動により含浸棒８４の上側の空気を撹拌するから、効率的に空気を撹拌でき、比較的小規模のエネルギー供給部でも撹拌動作が可能である。
第４の手段に係る発明によれば、支持部材４０のボックス状の支持脚５６内に駆動手段Ｄを配置したから、駆動手段Ｄを保護できるとともに体裁を損なわない。
第５の手段に係る発明によれば、含浸棒Ｉ１の上部が支持脚５６の頂壁部５６ｂを貫通して上方突出するから、羽根部材６６の揺動により撹拌した空気が含浸棒Ｉ１の上部に当たることを確実にする。
第６の手段に係る発明によれば、羽根部材６６から揮発剤が揮発するように形成したから、より揮発剤の拡散作用が向上する。
【図面の簡単な説明】
【００２０】
【図１】本発明の第１実施形態に係る揮発剤容器の横断面図である。
【図２】図１の容器をＩＩ−ＩＩ線方向に見た縦断面図である。
【図３】図１の容器の作用の説明図である。
【図４】図１の容器の変形例の横断面図である。
【図５】図４の容器をＶ−Ｖ線方向に見た縦断面図である。
【図６】本発明の第２実施形態に係る揮発剤容器の平面図である。
【図７】図６の容器の縦断面図である。
【図８】本発明の第３実施形態に係る揮発剤容器の平面図である。
【図９】図８の容器の縦断面図である。
【発明を実施するための最良の形態】
【００２１】
図１から図５は、本発明の第１実施形態に係る揮発剤容器を示している。この揮発剤容器は、容器体２と、蓋部材１０と、支持部材４０と、エネルギー供給部７０と、オーバーキャップ８０とを具備し、さらに駆動手段Ｄ及び揮発剤導出手段Ｉを有する。ここで容器体２、蓋部材１０、及び支持部材４０は、例えば合成樹脂材で形成することができる。
【００２２】
容器体２は、胴部３から肩部４を介して口頸部６を起立している。胴部３の上部には上向き段部３ａを周設している。
【００２３】
蓋部材１０は、本実施形態において、蓋本体１２と、中栓３０とで構成される。
【００２４】
上記蓋本体１２は、中心部に第１貫通孔２０を開口した蓋板部１４を有し、第１貫通孔２０の回りから小径で短い第１係止筒部２２及び大径で長い連結筒部１６を２重筒状に垂下するとともに、蓋板部１４の外縁から蓋周壁部１８を垂下している。連結筒部１６は、上記口頸部６の外面に嵌合（図示例では螺合）しており、上記蓋周壁部１８の下端は上記上向き段部３ａに係止させている。上記蓋板部１４の上面からは、周縁部から一定の小間隔を存して第２係止筒部２４を起立し、さらに図２に示すように、後述の底板部４４の輪郭に対応して第１係止片２６を起立している。
【００２５】
上記中栓３０は、リング状の頂板部３２を有し、この頂板部３２の外縁部を上記口頸部６の上端面に載置させて頂板部３２の裏面の外周部から口頸部６内面に液密に嵌合するシール筒部３４を垂下し、かつ頂板部３２の内周縁から下端小径の保持筒部３６を形成している。図示例では、この保持筒部３６の上下方向中間部をテーパ状筒部に、上部及び下部を直筒部にそれぞれ形成し、保持筒部３６の下部の内面を挿入口３８としている。また保持筒部３６の上部の内面には第１係止筒部２２を嵌着している。もっともこれらの構造は適宜変更することができる。
【００２６】
支持部材４０は、底部材４２と、本体５４とで構成されている。  
【００２７】
上記底部材４２は、底板部４４を有し、この底板部４４に開口した第２貫通孔４８の口縁から第１保護筒部５０を、また底板部４４の外縁部から第３係止筒部４６をそれぞれ起立してなる。そして上方から見て第２貫通孔４８が上述の第１貫通孔２０と同心状に重なる状態で底板部４４を蓋板部１４の上に載置している。上記第３係止筒部４６の外面には複数の上記第１係止片２６を係止させている。
【００２８】
上記本体５４は、支持脚５６と支持柱６０とを有する。
【００２９】
上記支持脚５６は、前後方向及び左右方向の寸法に比べて背の低い脚筒部５６ａと、この脚筒部５６ａの上面を閉塞する頂壁部５６ｂとで構成される。なお、本明細書では、説明の便宜上、本明細書では図１の右側を「前」と、同図の左側を「後」と、同図の下側を「右」と、同図の上側を「左」と称する。上記脚筒部５６ａの外面下端部には上記第３係止筒部４６の内面が嵌着している。
【００３０】
上記頂壁部５６ｂは、上記第２貫通孔４８と同心位置に開口した第３貫通孔５７を有する。この第３貫通孔５７より前方の頂壁部分には、採光口５８を開口し、この採光口の口縁付近から口筒部５８ａを垂下する。
【００３１】
この口筒部５８ａ内には、エネルギー供給部７０が装着されている。本実施形態のエネルギー供給部は、光電池を主体とし、かつ電流の向きを一定の時間単位で切り替える機構を有する。エネルギー供給部適宜変更することができ、例えば光電池に代えて乾電池を用いてもよい。乾電池を用いる場合には、従来公知の音センサや近接センサ（手かざしセンサ）や光電池を利用して、手を叩いたり、手をかざしたりしたときに羽根部材が動くようにしてもよい。
【００３２】
上記支持柱６０は、第３貫通孔５７より後方の頂壁部分に開口した透孔６１の縁から起立している。好適な図示例では、左右方向に長い透孔６１の縁の両側から起立した前後一対の起立板部６０ａと、これら起立板部の上端部同士を連結する連結板部６０ｂとで形成する。そして両起立板部６０ａの上部に前後方向の回転軸６２を架設している。また回転軸６２より左右外方へ一対の支持腕６４を突出している。
【００３３】
また上記回転軸６２からは、回転軸回りの支持腕部分と連続する連結棒６５を垂下し、この連結棒６５の下端に永久磁石Ｄ２を付設している。またこの永久磁石Ｄ２に対して、図３に示すように中心を左右方向にずらして電磁石Ｄ１を底板部４４の上に設置している。電磁石Ｄ１は、エネルギー供給部７０である光電池に電線７２で接続している。これら電磁石Ｄ１と永久磁石Ｄ２とで駆動手段Ｄを構成する。電磁石Ｄ１の極を切り替えることで、図３に想像線で示すように、電磁石と永久磁石とが反発し、或いは図示していないが互いに引き合うことで、連結棒６５及び支持腕が揺動するように構成している。もっとも駆動手段の構成は適宜変更することができる。
【００３４】
羽根部材６６は、上記支持腕６４に固定されている。図示の羽根部材６６は、支持腕６４の上側に固定された略水平板状の一対の羽根部６６ａからなる。しかしながら、その構成は適宜変更することができる。  
【００３５】
揮発剤導出手段Ｉは本実施形態では含浸棒Ｉ１として形成されている。含浸棒Ｉ１は、揮発剤を含浸し易い材料で形成され、上記挿入口３８に固定されて下半部を容器体２内に挿入するとともに、上半部を、第１貫通孔２０、第２貫通孔４８、及び第３貫通孔５７を介して支持脚５６の頂壁部５６ｂ上方へ突出している。本実施形態では、含浸棒Ｉ１の上部は、羽根部材６６から離れている。そうでない発明の態様に関しては第２実施形態で説明する。
【００３６】
オーバーキャップ８０は、有頂筒状であり、そのキャップ周壁８１の下端部を第２係止筒部２４の外面に嵌着するとともに、そのキャップ周壁８１に揮散窓８２を開口している。
【００３７】
上記構成によれば、本願の揮発剤容器のエネルギー供給部７０に光が当たることで発電し、その電力により駆動手段Ｄが連結棒６５と支持腕６４と羽根部材６６とを揺動させる。これにより含浸棒Ｉ１の上側の空気が撹拌され、含浸棒Ｉ１からの揮発剤の揮散が促進される。
【００３８】
図４及び図５は、本実施形態の変形例を示している。本例では、支持脚５６の頂壁部５６ｂの上に含浸板Ｉ２を載置し、その下面に含浸棒Ｉ１を突き当てたものである。含浸板Ｉ２の側面を係止する第２係止片５９を頂壁部５６ｂの適所から起立している。含浸棒Ｉ１と含浸板Ｉ２とで揮発剤導出手段Ｉを形成している。  
【００３９】
以下、本発明の他の実施形態に関して説明する。その説明において、第１実施形態と同じ構造に関しては、解説を省略する。
【００４０】
図６〜図７は、本発明の第２実施形態に係る揮発剤容器を示している。本実施形態では、羽根部材６６を揮発剤の含浸が可能な材料で形成した含浸可動体Ｉ３とし、含浸棒Ｉ１を羽根部材６６の近くまで延長して、羽根部材６６の動きにより、羽根部材６６が含浸棒Ｉ１の上端に接して揮発剤を吸い込むように構成したものである。含浸棒Ｉ１と含浸可動体Ｉ３とで揮発剤導出手段Ｉを構成している。揮発剤を含浸した羽根部材６６が空気の中を動くことで揮発剤がより効果的に空気中に揮発される。図示の羽根部材６６は第１実施形態と同様に揺動するように形成している。しかしながら、羽根部材が含浸棒と接して揮発剤を含浸することが可能であれば、羽根部材の動きはどのようなものでも構わない。
【００４１】
本実施形態では、羽根部材６６の左右一対の羽根部６６ａを前側で連結する連結部６６ｂを設け、この連結部６６ｂの下面に含浸棒Ｉ１の上部が当接するように形成している。
【００４２】
また本実施形態では、蓋部材１０は、容器体２の口頸部６外面に嵌合した連結筒部１６の上面を覆う範囲に蓋板部１４を設けるとともに、この蓋板部１４を前方に延長する延長板部１４ａを設けている。そして第１実施形態にいう底部材を省略して、蓋板部１４及び延長板部１４ａの輪郭に対応する平面形状の支持脚５６を形成し、この支持脚５６の下端部を上記蓋板部１４及び延長板部１４ａの輪郭の内側に沿って立設した第２係止筒部２４に嵌着している。
【００４３】
図示例では、蓋板部１４の第１貫通孔２０から第２保護筒部２５を起立している。そして図示例では、第２保護筒部２５とエネルギー供給部７０との間に、支持柱６０及び駆動手段Ｄを配置している。
【００４４】
図８〜図９は、本発明の第３実施形態に係る揮発剤容器を示している。本実施形態では、第２実施形態に係る揮発剤容器の構成のうちの羽根部材６６（含浸可動体Ｉ３）及び含浸棒Ｉ１の関係を変更したものである。すなわち、第２実施形態のように含浸棒Ｉ１の上端部を羽根部材６６に接近させる代わりに、羽根部材６６の連結部６６ｂの前側から連続片６６ｃを垂下して、支持脚５６の頂壁部５６ｂ付近の含浸棒Ｉ１の上端部付近に当接させたものである。上記連続片６６ｃは柔軟であって、図示例では後側の起立板部６０ａ及び含浸棒Ｉ１の上端に沿ってＬ字形に屈曲している。
【００４５】
なお、図示はしていないが、図８及び図９の構成において含浸棒Ｉ１を省略して、含浸棒の代わりに連続片６６ｃを長く設け、挿入口３８を経由して容器体２の底部内へ延ばすようにしてもよい。
【符号の説明】
【００４６】
２…容器体  ３…胴部  ３ａ…上向き段部  ４…肩部  ６…口頸部  
１０…蓋部材  １２…蓋本体  １４…蓋板部  １４ａ…延長板部
１６…連結筒部  １８…蓋周壁部
２０…第１貫通孔  ２２…第１係止筒部  ２４…第２係止筒部  ２５…第２保護筒部
２６…第１係止片
３０…中栓  ３２…頂板部  ３４…シール筒部  ３６…保持筒部  ３８…挿入口
４０…支持部材  ４２…底部材  ４４…底板部  ４６…第３係止筒部
４８…第２貫通孔  ５０…第１保護筒部
５４…本体  ５６…支持脚  ５６ａ…脚筒部  ５６ｂ…頂壁部  ５７…第３貫通孔
５８…採光口  ５８ａ…口筒部  ５９…第２係止片
６０…支持柱  ６０ａ…起立板部  ６０ｂ…連結板部  ６０ｃ…連続片
６１…透孔  ６２…回転軸  ６４…支持腕  ６５…連結棒
６６…羽根部材  ６６ａ…羽根部  ６６ｂ…連結部  ６６ｃ…連続片
７０…エネルギー供給部  ７２…電線  
８０…オーバーキャップ  ８１…キャップ周壁  ８２…揮散孔
Ｄ…駆動手段  Ｄ１…電磁石    Ｄ２…永久磁石
Ｉ…揮発剤導出手段  Ｉ１…含浸棒  Ｉ２…含浸板  Ｉ３…含浸可動体
【図１】
2015164856.tif 000003
【図２】
2015164856.tif 000004
【図３】
2015164856.tif 000005
【図４】
2015164856.tif 000006
【図５】
2015164856.tif 000007
【図６】
2015164856.tif 000008
【図７】
2015164856.tif 000009
【図８】
2015164856.tif 000010
【図９】
2015164856.tif 000011